(57)【特許請求の範囲】
【請求項１】
水素を生成する改質器と、
前記改質器が生成した水素によって電力を発電し、建物の複数の階のそれぞれに複数設けられた複数の燃料電池と、
前記改質器から前記複数の燃料電池へ水素を供給する配管と、
前記複数の階のいずれよりも高い位置に設けられた水素放出部と、
前記配管の内部に残留している水素を、前記水素放出部を用いて前記建物の外部に放出する制御部と
を備え、
前記配管は、
前記複数の階のそれぞれに設けられ、それぞれの階にそれぞれ設けられた前記複数の燃料電池の各々を接続して水素を供給する複数の第１配管と、
前記複数の第１配管を相互に接続する第２配管と、
前記複数の階にそれぞれ対応して前記第２配管に設けられ、前記複数の第１配管の相互の接続と切断とを制御する複数の流量制御弁と
を有し、
前記水素放出部は、前記第２配管の、前記複数の階のいずれよりも高い位置に接続されており、
前記制御部は、前記複数の流量制御弁を制御することにより、前記複数の第１配管のうち水素を放出する必要のある階に設けられた第１配管の内部の水素を、前記水素放出部から前記建物の外部に放出する
燃料電池システム。
【請求項２】
前記建物の震度を検出する震度検出器
を更に備え、
前記制御部は、前記震度検出器が所定以上の震度を検出した場合に、前記複数の流量制御弁を制御して前記水素放出部から前記建物の外部に水素を放出する
請求項１に記載の燃料電池システム。
【請求項３】
前記震度検出器は、前記複数の階のそれぞれに設けられており、
前記制御部は、前記所定以上の震度を検出した前記震度検出器が設けられた階以上の階に設けられた前記複数の燃料電池が前記水素放出部と流体通路で結合するよう、前記複数の流量制御弁を制御する
請求項２に記載の燃料電池システム。
【請求項４】
前記改質器は、前記複数の階にそれぞれ設けられ、
前記複数の第１配管は、それぞれの階に設けられた前記複数の燃料電池と前記改質器とを接続し、
前記制御部は、前記所定以上の震度を検出した前記震度検出器が設けられた階以上の階に設けられた前記改質器の運転を停止する
請求項３に記載の燃料電池システム。
【請求項５】
前記改質器は、前記複数の階にそれぞれ設けられ、
前記複数の第１配管は、それぞれの階に設けられた前記複数の燃料電池と前記改質器とを接続する
請求項１から３のいずれか一項に記載の燃料電池システム。
【請求項６】
前記改質器は、前記建物の最下層の階に設けられ、
前記制御部は、前記所定以上の震度を検出した前記震度検出器が設けられた階より下層の階に設けられた前記複数の燃料電池に、前記改質器が生成した水素を前記第２配管を通じて供給すべく、前記複数の流量制御弁を制御する
請求項３に記載の燃料電池システム。
【請求項７】
前記震度検出器は、前記複数の階のそれぞれに設けられており、
前記制御部は、いずれかの前記震度検出器が所定以上の震度を検出した場合に、前記複数の流量制御弁を制御して前記水素放出部から前記建物の外部に水素を放出する請求項２に記載の燃料電池システム。
【請求項８】
複数の階を有する建物であって、
請求項１から７のいずれか一項に記載の燃料電池システム
を備える建物。
【請求項９】
改質器を用いて水素を生成するステップと、
前記改質器から、建物の複数の階のそれぞれに複数設けられた複数の燃料電池へ配管を用いて水素を供給するステップと、
前記複数の燃料電池を用いて、前記改質器が生成した水素によって電力を発電するステップと、
前記配管の内部に残留している水素を、前記複数の階のいずれよりも高い位置に設けられた水素放出部を用いて前記建物の外部に放出する放出する制御ステップと
を備え、
前記配管は、
前記複数の階のそれぞれに設けられ、それぞれの階にそれぞれ設けられた前記複数の燃料電池の各々を接続して水素を供給する複数の第１配管と、
前記複数の第１配管を相互に接続する第２配管と、
前記複数の階にそれぞれ対応して前記第２配管に設けられ、前記複数の第１配管の相互の接続と切断とを制御する複数の流量制御弁と
を有し、
前記水素放出部は、前記第２配管の、前記複数の階のいずれよりも高い位置に接続されており、
前記制御ステップは、前記複数の流量制御弁を制御することにより、前記複数の第１配管のうち水素を放出する必要のある階に設けられた第１配管の内部の水素を、前記水素放出部から前記建物の外部に放出する
燃料電池システム制御方法。
【請求項１０】
震度検出器を用いて前記建物の震度を検出するステップ
を更に備え、
前記制御ステップは、前記震度検出器が所定以上の震度を検出した場合に、前記複数の流量制御弁を制御して前記水素放出部から前記建物の外部に水素を放出する
請求項９に記載の燃料電池システム制御方法。
【請求項１１】
前記震度検出器は、前記複数の階のそれぞれに設けられており、
前記制御ステップは、前記所定以上の震度を検出した前記震度検出器が設けられた階以上の階に設けられた前記複数の燃料電池が前記水素放出部と流体通路で結合するよう、前記複数の流量制御弁を制御する
請求項１０に記載の燃料電池システム制御方法。
【発明の詳細な説明】
【技術分野】
【０００１】
本発明は、非常時の安全性が向上する燃料電池システム、燃料電池システム制御方法および建物に関する。特に本発明は、内部に残留している水素を非常時に放出する、燃料電池システム、燃料電池システム制御方法および建物に関する。
【背景技術】
【０００２】
燃料電池を用いた分散型電源においては、燃料改質型の燃料電池システムが知られている。燃料改質型の燃料電池システムは、都市ガス、プロパンガス等を改質して水素を生成する改質器を備え、改質器が生成する水素を燃料電池に供給する（例えば、特許文献１参照。）。
【０００３】
このようなシステムでは、改質器が生成した水素を、配管を経由して燃料電池に供給する。また、燃料電池から排出される、水素を含む排気ガスを、配管を経由して改質器に供給し、改質器で燃焼させる。
【特許文献１】特許２９７２２６１号公報
【発明の開示】
【発明が解決しようとする課題】
【０００４】
従来のシステムでは、燃料電池が非常停止した場合に、改質器から燃料電池に水素を供給する配管内に水素が残留する。このため、改質器を停止したとき、燃料電池の排気ガスを改質器に供給する配管内に、大気開放された改質器から空気が流入すると、水素と反応して爆発する恐れがあった。
【０００５】
また、燃料電池の運転を停止するときに、残留する水素ガスを改質器で燃焼させるシステムでは、地震等の非常時に改質器が破損した場合に、水素ガスを改質器で燃焼できない恐れがある。このように、システムの故障等が発生した場合に、複雑な制御を行わずに水素ガスを継続的に消費させることが困難であった。
【０００６】
したがって、燃料電池を住宅用の電源として用いる場合、例えば地震等の非常時において、複雑な制御を行うことなく水素ガスを安全に外部に排出させることが望ましい。
【課題を解決するための手段】
【０００７】
このような課題を解決するために、本発明の第１の形態における燃料電池システムは、水素を生成する改質器と、改質器が生成した水素によって電力を発電する複数の燃料電池と、改質器から複数の燃料電池へ水素を供給する配管と、配管の内部に残留している水素を非常時に放出する水素放出部とを備えた。このため、非常時の安全性が向上する。
【０００８】
燃料電池は、建物の複数の階のそれぞれに設けられている。水素放出部は、複数の階のいずれよりも高い位置に設けられている。このため、水素を放出させるための動力を使用することなく、いずれの階の配管の内部の水素をも放出することができる。さらに、放出した水素が建物の内部に進入することを防ぐことができる。また、水素放出部が燃焼した場合でも、水素放出部の燃焼によって各階が受ける損害を低減できる。
【０００９】
また本形態における燃料電池システムは、建物の震度を検出する震度検出器と、震度検出器が所定以上の震度を検出した場合に、水素放出部を用いて水素を放出する制御部とを更に備えた。このため、建物の揺れによって燃料電池が停止して、燃料電池が配管の内部の水素を消費しなくなる場合でも、配管の内部に水素が残留することを防げる。
【００１０】
また、震度検出器は、複数の階のそれぞれに設けられている。制御部は、いずれかの震度検出器が所定以上の震度を検出した場合に、水素放出部を用いて水素を放出する。このため、建物の揺れによっていずれかの階の燃料電池が停止して、配管の内部の水素を消費しなくなる場合でも、配管の内部に水素が残留することを防げる。
【００１１】
本発明の他の形態における燃料電池システム制御方法は、改質器を用いて水素を生成するステップと、改質器から複数の燃料電池へ配管を用いて水素を供給するステップと、燃料電池を用いて、改質器が生成した水素によって電力を発電するステップと、配管の内部に残留している水素を非常時に水素放出部を用いて放出するステップとを備えた。
【００１２】
本発明の他の形態における建物は、複数の階を有する建物と、水素を生成する改質器と、改質器が生成した水素によって電力を発電する複数の燃料電池と、改質器から複数の燃料電池へ水素を供給する配管と、配管の内部に残留している水素を非常時に放出する水素放出部とを備え、水素放出部は、複数の階のいずれよりも高い位置に設けられている。
【００１３】
また、燃料電池は、建物の複数の階のそれぞれに設けられている。
【００１４】
また本形態における建物は、建物の震度を検出する震度検出器と、震度検出器が所定以上の震度を検出した場合に、水素放出部を用いて水素を放出する制御部とを更に備えた。震度検出器は、複数の階のそれぞれに設けられている。制御部は、いずれかの震度検出器が所定以上の震度を検出した場合に、水素放出部を用いて水素を放出する。
【００１５】
なお上記の発明の概要は、本発明の必要な特徴の全てを列挙したものではなく、これらの特徴群のサブコンビネーションも又発明となりうる。
【発明の効果】
【００１６】
本発明によれば、水素放出部は配管の内部に残留している水素を非常時に放出する。このため、非常時の安全性が向上する。
【発明を実施するための最良の形態】
【００１７】
以下、発明の実施の形態を通じて本発明を説明するが、以下の実施形態は特許請求の範囲にかかる発明を限定するものではなく、又実施形態の中で説明されている特徴の組み合わせの全てが発明の開発手段に必須であるとは限らない。
【００１８】
図１は、本発明の実施形態に係る燃料電池システム３０を備えた建物５２の構成の一例を示す図である。本実施形態は、非常時の安全性が向上する燃料電池システムを提供することを目的とする。
【００１９】
燃料電池システム３０は、例えば複数の階（１０ａ〜１０ｃ、以下１０と総称する。）を有する建物５２に電力を供給する。建物５２において、階１０ａは最下層の階であり、１０ｃは最上層の階である。燃料電池システム３０は、建物５２のそれぞれの階１０が有する複数の燃料電池サブシステム３２を備える。また、燃料電池システム３０は、外部配管４５、ファン６４、水素放出部４６、制御部５０、および複数の流量制御弁６２をさらに備える。
【００２０】
建物５２の各階１０が有するそれぞれの燃料電池サブシステム３２は、改質器４０、複数の燃料電池４２、複数の負荷５４、燃料電池４２の各々と改質器４０とを接続する配管４４、および震度検出器４８を備える。
【００２１】
改質器４０は水素を生成する。例えば、改質器４０は、都市ガス、プロパンガス等を改質することによって水素を生成する。改質器４０が生成した水素は、配管４４を経由して燃料電池４２に供給される。燃料電池４２は改質器４０が生成した水素によって電力を発電し、燃料電池４２の各々に接続された負荷５４に電力を供給する。燃料電池４２は例えば固体高分子型燃料電池（ＰＥＦＣ）である。例えば、燃料電池４２および負荷５４は建物５２の部屋ごとに設けられ、それぞれの負荷５４は、それぞれの負荷５４を備える部屋に設けられた燃料電池４２から供給される電力を消費する。
【００２２】
震度検出器４８は、それぞれの震度検出器４８が備えられた階１０における震度を検出する。これにより、地震などによって、建物５２の階１０によって震度が異なるような揺れが発生した場合でも、震度を適切に判断できる。
【００２３】
それぞれの燃料電池サブシステム３２が有する配管４４は、燃料電池サブシステム３２の外部において、外部配管４５によって相互に接続される。したがって、改質器４０が生成した水素を、いずれの階１０に設けられた燃料電池サブシステム３２が有する燃料電池４２にも供給できる。また、流量制御弁６２は、外部配管４５に設けられ、各階１０の燃料電池サブシステム３２のそれぞれが有する配管４４の相互の接続と切断を制御する。
【００２４】
水素放出部４６は、外部配管４５に接続され、配管４４の内部に残留している水素を非常時に放出する。さらに水素放出部４６は、複数の階１０のいずれよりも高い位置に設けられている。水素放出部４６は、例えば、上部が建物５２の外部に開口することによって、配管４４の内部の水素を建物５２の外部に放出する。
【００２５】
制御部５０は、燃料電池サブシステム３２のそれぞれが有する震度検出器４８が検出する震度に基づいて、改質器４０、燃料電池４２、水素放出部４６、流量制御弁６２、およびファン６４を制御する。例えば、制御部５０は、震度検出器４８が所定以上の震度を検出した場合に、改質器４０および燃料電池４２が、水素放出部４６と流体通路で結合されるよう流量制御弁６２を制御して、水素放出部４６を用いて配管４４の内部の水素を放出させる。このとき制御部５０は、改質器４０を停止させるとともに、燃料電池４２を稼働させて、配管４４の内部の水素を消費させる。また、場合によっては、制御部５０は、水素放出部４６から放出される時間あたりの水素の量を増加させるべくファン６４を動作させてもよい。
【００２６】
また、制御部５０は、非常時に、水素を放出する必要のある階１０の燃料電池サブシステム３２を選択し、当該燃料電池サブシステム３２が有する改質器４０および燃料電池４２が、水素放出部４６と流体通路で結合されるよう流量制御弁６２を制御してよい。また、制御部５０は、改質器４０が異常停止した場合に、当該改質器４０を有する燃料電池システム３０の配管４４の内部の水素を、水素放出部４６を用いて放出させてもよい。
【００２７】
本実施例における燃料電池システム３０を備えた建物５２によれば、水素放出部４６が、配管４４の内部に残留している水素を非常時に放出するので、非常時の安全性が向上する。また、水素放出部４６が、複数の階１０のいずれよりも高い位置に設けられているので、水素を放出させるための動力を使用することなく、いずれの階１０の配管４４の内部の水素をも放出することができる。さらに、放出した水素が建物５２の内部に進入することを防ぐことができる。また、水素放出部４６が燃焼した場合でも、水素放出部４６の燃焼によって各階１０が受ける損害を低減できる。
【００２８】
また、震度検出器４８が複数の階１０のそれぞれに設けられているので、建物５２の階１０によって震度が異なるような揺れが発生した場合でも、震度を適切に判断できる。また、制御部５０が、震度検出器４８が所定以上の震度を検出した場合に、水素放出部４６を用いて水素を放出するので、建物５２の揺れによって燃料電池４２が停止して、燃料電池４２が配管４４の内部の水素を消費しなくなる場合でも、配管４４の内部に水素が残留することを防げる。また、燃料電池４２が、建物５２の複数の階１０のそれぞれに設けられているので、いずれかの階１０の燃料電池４２が非常時に電力の供給を停止した場合であっても、別の階１０の燃料電池４２によって電力を負荷５４に供給することができる。
【００２９】
図２は、制御部５０の動作の詳細を示すフローチャートの一例を示す図である。制御部５０は、複数の震度検出器４８によって検出された震度の各々について、予め定めた基準震度を超えているか否かを判定する（Ｓ３０２）。
【００３０】
Ｓ３０２において、いずれの震度検出器４８によって検出された震度も、予め定めた基準震度を超えていない場合は、Ｓ３０２の判定を繰り返す。
【００３１】
Ｓ３０２において、いずれかの震度検出器４８によって検出された震度が、予め定めた基準震度を超えている場合は、制御部５０は、改質器４０の運転を停止させ（Ｓ３０４）、水素放出部４６を開口させる（Ｓ３０６）。さらに、制御部５０は、改質器４０および燃料電池４２が、水素放出部４６と流体通路で結合されるよう流量制御弁６２を制御する（Ｓ３０８）。
【００３２】
さらに、制御部５０は、配管４４の内部の水素が放出されたか否かを判断する（Ｓ３１０）。Ｓ３１０において、制御部５０は、配管４４および外部配管４５の内部の水素の濃度に基づいて、配管４４の内部の水素が放出されたか否かを判断してよい。この場合、制御部５０は、少なくとも水素放出部４６、流量制御弁６２の近傍、改質器４０の近傍、および燃料電池４２の近傍における水素の濃度に基づいて、配管４４の内部の水素が放出されたか否かを判断することが望ましい。
【００３３】
Ｓ３１０において、配管４４の内部の水素が放出されたと判断した場合、水素放出部４６を閉口し（Ｓ３１２）、処理を終了する。また、Ｓ３１０において配管４４の内部の水素が放出されていないと判断した場合は、Ｓ３１０に処理を移し、配管４４の内部の水素が放出されるまでＳ３１０の判定を繰り返す。
【００３４】
なお、Ｓ３０２で震度を判断するとき、制御部５０に、それぞれの震度検出器４８に対応する基準震度が予め与えられ、それぞれの震度検出器４８が検出した震度が、対応する基準震度より大きい場合に、Ｓ３０４に処理を進めてもよい。
【００３５】
また、Ｓ３０４で制御部５０が改質器４０を停止させるとき、基準震度を越える震度を検出した震度検出器４８が設置された階以上の階１０が有する燃料電池サブシステム３２の改質器４０を停止するよう制御してもよい。この場合Ｓ３０８において、制御部５０は、当該燃料電池サブシステム３２の改質器４０および燃料電池４２が、水素放出部４６と流体通路で結合するよう、流量制御弁６２を制御する。
【００３６】
また、Ｓ３０４において制御部５０は、改質器４０が運転を停止してから、予め定めた期間、運転を停止した改質器４０から水素を供給される燃料電池４２を稼働させ、当該改質器４０と当該燃料電池４２との間の配管４４の内部に残存する水素を消費させてもよい。このために制御部５０は、改質器４０が水素の供給を開始してから水素の供給を停止するまでの間に、改質器４０が生成した水素の量をそれぞれの改質器４０に対応づけて管理し、さらに、改質器４０が水素の供給を開始してから水素の供給を停止するまでの間に、燃料電池４２が消費した水素の量を燃料電池４２に対応づけて管理する。そして、制御部５０は、改質器４０が水素の供給を停止したときに、配管４４の内部に残留している水素の量を算出し、配管４４の内部に残留している水素を燃料電池４２が消費するのに要する期間、燃料電池４２を稼働させてよい。燃料電池４２は、このとき余剰に生成した電力を、例えば接地電位に放電することが好ましい。
【００３７】
また、制御部５０は、発電を停止していない燃料電池４２がある場合に、発電を停止した燃料電池４２が、電力を供給するべき負荷５４に電力を供給させることが好ましい。例えば通常時、それぞれの燃料電池４２は、それぞれの燃料電池４２を備える部屋が有する負荷５４に電力を供給する。非常時にいずれかの燃料電池４２が停止した場合、制御部５０は、停止していない燃料電池４２と負荷５４とを接続し、停止していない燃料電池４２から、電力を供給するべき負荷５４に電力を供給する。
【００３８】
また、複数の負荷５４には、予め優先度が定められており、制御部５０は、いずれかの燃料電池４２の発電を停止した場合に、発電を停止していない燃料電池４２の総発電力と、負荷５４の優先度とに基づいて、電力を供給するべき負荷５４を選択して、電力を供給してもよい。
【００３９】
また、制御部５０は、それぞれの燃料電池サブシステム３２ごとに、それぞれの負荷５４の優先度に基づいて、停止していない燃料電池４２に接続するか否かを制御してもよい。例えば、地震時にいずれかの燃料電池４２を停止した場合においても、制御部５０は、それぞれの燃料電池サブシステム３２に予め定められた電力を分配し、それぞれの燃料電池サブシステム３２において優先度の高い負荷５４を、停止していない燃料電池４２に接続する。
【００４０】
以上説明した動作により、制御部５０が、いずれかの震度検出器４８が所定以上の震度を検出した場合に、水素放出部４６を用いて水素を放出するので、建物５２の揺れによっていずれかの階１０の燃料電池４２が停止して、配管４４の内部の水素を消費しなくなる場合でも、配管４４の内部に水素が残留することを防げる。
【００４１】
なお、本実施例では、建物５２の各階１０に改質器４０が設置されているが、他の方法としては、建物５２に一の改質器４０を設け、外部配管４５に改質器４０を接続して全ての燃料電池４２に水素を供給してもよい。この場合、建築物５２の最下層の階１０ａに改質器４０を設置することが望ましい。また、非常時には、改質器４０を停止し、流量制御弁６２を制御して配管４４内の水素を水素放出部４６から放出する。なお非常時に、ある階１０より下層の階１０が有する燃料電池サブシステム３２の燃料電池４２のみに水素を供給する場合には、改質器４０の運転を継続させ、当該燃料電池サブシステム３２の燃料電池４２に水素を供給すべく流量制御弁６２を制御する。さらに、当該燃料電池サブシステム３２以外の燃料電池４２が、水素放出部４６と流体通路で結合されるよう流量制御弁６２を制御し、水素放出部４６から水素を放出する。
【００４２】
図３は、制御部５０が有するコンピュータ５００の構成の一例を示す図である。本例において、コンピュータ５００は、燃料電池システムを図１および図２において説明した、燃料電池システム３０として機能させるプログラムを格納する。
【００４３】
コンピュータ５００は、ＣＰＵ７００と、ＲＯＭ７０２と、ＲＡＭ７０４と、通信インターフェース７０６と、ハードディスクドライブ７１０と、フレキシブルディスクドライブ７１２と、ＣＤ−ＲＯＭドライブ７１４とを備える。ＣＰＵ７００は、ＲＯＭ７０２、ＲＡＭ７０４、ハードディスクドライブ７１０、フレキシブルディスク７２０、及び／又はＣＤ−ＲＯＭ７２２に格納されたプログラムに基づいて動作する。
【００４４】
例えば、燃料電池システム３０を機能させるプログラムは、コンピュータ５００を、図１および図２に関連して説明した制御部５０として機能させ、燃料電池システムを機能させる。
【００４５】
通信インターフェース７０６は、例えば改質器４０、燃料電池４２、震度検出器４８、水素放出部４６、流量制御弁６２、およびファン６４と通信し、それぞれの状態等に関する情報を受信し、またそれぞれを制御する制御信号を送信する。格納装置の一例としてのハードディスクドライブ７１０、ＲＯＭ７０２、又はＲＡＭ７０４は、設定情報、及びＣＰＵ７００を動作させるためのプログラム等を格納する。また、当該プログラムは、フレキシブルディスク７２０、ＣＤ−ＲＯＭ７２２等の記録媒体に格納されていてもよい。
【００４６】
フレキシブルディスクドライブ７１２は、フレキシブルディスク７２０がプログラムを格納している場合、フレキシブルディスク７２０からプログラムを読み取りＣＰＵ７００に提供する。ＣＤ−ＲＯＭドライブ７１４は、ＣＤ−ＲＯＭ７２２がプログラムを格納している場合、ＣＤ−ＲＯＭ７２２からプログラムを読み取りＣＰＵ７００に提供する。
【００４７】
また、プログラムは記録媒体から直接ＲＡＭに読み出されて実行されても、一旦ハードディスクドライブ７１０にインストールされた後にＲＡＭ７０４に読み出されて実行されてもよい。更に、上記プログラムは単一の記録媒体に格納されても複数の記録媒体に格納されても良い。また記録媒体に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００４８】
プログラムを格納する記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用してもよい。
【００４９】
以上の説明から明らかなように本実施形態によれば、水素放出部４６は配管４４の内部に残留している水素を非常時に放出するので、非常時の安全性が向上する。
【００５０】
また、水素放出部４６は複数の階１０のいずれよりも高い位置に設けられているので、水素を放出させるための動力を使用することなく、いずれの階１０の配管４４の内部の水素をも放出することができる。さらに、放出した水素が建物５２の内部に進入することを防ぐことができる。また、水素放出部４６が燃焼した場合でも、水素放出部４６の燃焼によって各階１０が受ける損害を低減できる。
【００５１】
制御部５０は、震度検出器４８が所定以上の震度を検出した場合に、水素放出部４６を用いて水素を放出するので、建物５２の揺れによって燃料電池４２が停止して、燃料電池４２が配管４４の内部の水素を消費しなくなる場合でも、配管４４の内部に水素が残留することを防げる。
【００５２】
震度検出器４８は複数の階１０のそれぞれに設けられているので、建物５２の階１０によって震度が異なるような揺れが発生した場合でも、震度を適切に判断できる。また制御部５０は、いずれかの震度検出器４８が所定以上の震度を検出した場合に、水素放出部４６を用いて水素を放出するので、建物５２の揺れによっていずれかの階１０の燃料電池４２が停止して、配管４４の内部の水素を消費しなくなる場合でも、配管４４の内部に水素が残留することを防げる。
【００５３】
また、燃料電池４２は建物５２の複数の階１０のそれぞれに設けられているので、いずれかの階１０の燃料電池４２が非常時に電力の供給を停止した場合であっても、別の階１０の燃料電池４２によって電力を供給することができる。
【００５４】
以上、本発明を実施の形態を用いて説明したが、本発明の技術的範囲は上記実施の形態に記載の範囲には限定されない。上記実施形態に、多様な変更又は改良を加えることができることが当業者に明らかである。その様な変更又は改良を加えた形態も本発明の技術的範囲に含まれることが、特許請求の範囲の記載から明らかである。
【図面の簡単な説明】
【００５５】
【図１】本発明の実施形態に係る燃料電池システム３０を備えた建物５２の構成の一例を示す。
【図２】制御部５０の動作の詳細を示すフローチャートの一例を示す。
【図３】制御部５０が有するコンピュータ５００の構成の一例を示す。
【符号の説明】
【００５６】
１０・・・階、３０・・・燃料電池システム、３２・・・燃料電池サブシステム、４０・・・改質器、４２・・・燃料電池、４４・・・配管、４５・・・外部配管、４６・・・水素放出部、４８・・・震度検出器、５０・・・制御部、５２・・・建物、５４・・・負荷、６２・・・流量制御弁、６４・・・ファン、５００・・・コンピュータ、７００・・・ＣＰＵ、７０２・・・ＲＯＭ、７０４・・・ＲＡＭ、７０６・・・通信インターフェース、７１０・・・ハードディスクドライブ、７１２・・・フレキシブルディスクドライブ、７１４・・・ＣＤ−ＲＯＭドライブ、７２０・・・フレキシブルディスク、７２２・・・ＣＤ−ＲＯＭ
【図１】
0004808937.tif 000002
【図２】
0004808937.tif 000003
【図３】
0004808937.tif 000004